(57)【要約】      （修正有）【課題】地上波放送と、双方向サービスが可能なＣＡＴＶ放送とが受信可能で、かつ、ＣＡＴＶ放送上り回線へデータ出力可能な受信装置を提供する。【解決手段】地上波放送信号を入力する地上波入力手段と、ＣＡＴＶ網からのＣＡＴＶ信号の入力、あるいは、ＣＡＴＶ網への信号出力を行うＣＡＴＶ入出力手段と、ＣＡＴＶ入出力手段を介してＣＡＴＶ網からのＣＡＴＶ信号を分岐または分配する分岐分配手段と、地上波入力手段からの地上波放送信号と、分岐分配手段で分岐または分配されたＣＡＴＶ信号の内、一つの信号を選択する選択手段と、選択手段により選択された信号の内、所望のチャンネルを選局する主選局手段と、選択手段と主選局手段を制御する制御手段とを備え、該制御手段は、選択手段で選択される信号とは独立して、ＣＡＴＶ入出力手段を介して、ＣＡＴＶ網からのＣＡＴＶ信号の分岐または分配、あるいはＣＡＴＶ網への信号出力を制御する。【選択図】図２
2007174002.tif 000002
【特許請求の範囲】
【請求項１】
地上波放送信号を入力する地上波入力手段と、
ＣＡＴＶ網からＣＡＴＶ信号を入力し、あるいは、ＣＡＴＶ網へ信号を出力するためのＣＡＴＶ入出力手段と、
該ＣＡＴＶ入出力手段を介してＣＡＴＶ網から入力されるＣＡＴＶ信号を分岐または分配する分岐分配手段と、
該地上波入力手段により入力された該地上波放送信号と該分岐分配手段により分岐または分配された該ＣＡＴＶ信号の内、一つの信号を選択する選択手段と、
該選択手段により選択された該信号の内、所望のチャンネルを選局する主選局手段と、
該選択手段と該主選局手段を制御する制御手段と、を備え、
該制御手段は、該選択手段で選択される信号とは独立して、該ＣＡＴＶ入出力手段を介してＣＡＴＶ網から入力されるＣＡＴＶ信号を分岐または分配し、あるいは、該ＣＡＴＶ入出力手段を介してＣＡＴＶ網へ信号を出力するよう制御することを特徴とする受信装置。
【請求項２】
地上波放送およびＣＡＴＶ放送を一つの受信装置により受信可能な受信装置であって、
地上波放送信号を入力するための地上波入力手段と、
ＣＡＴＶ信号を入力し、あるいは、ＣＡＴＶ放送の上り回線データ信号をＣＡＴＶ網に出力するためのＣＡＴＶ入出力手段と、
該ＣＡＴＶ信号を通過させ、該上り回線データ信号を該ＣＡＴＶ網に結合するための方向性結合手段と、
該方向性結合手段を通過したＣＡＴＶ信号の内、下り回線データ信号を分岐または分配する分岐分配手段と、
該地上波入力手段により入力された該地上波放送信号と該分岐分配手段により分岐または分配された該ＣＡＴＶ信号の内、一つの放送信号を選択する選択手段と、
該選択手段により選択された該放送信号の内、所望のチャンネルを選局する主選局手段と、
該選択手段と該主選局手段を制御する制御手段と、を備え、
該制御手段は、所望の放送信号に応じて該選択手段を制御するとともに該選択手段で選択される放送信号とは独立して該下り回線データ信号を分岐または分配することが可能であり、該上り回線データ信号が出力可能であることを特徴とする受信装置。
【請求項３】
請求項２記載の受信装置において、
該地上波入力手段に入力された地上波放送信号を増幅する第１の増幅手段と、
該ＣＡＴＶ入出力手段に入力されたＣＡＴＶ信号を増幅する第２の増幅手段と、を備えることを特徴とする受信装置。
【請求項４】
請求項２記載の受信装置において、
該主選局手段により選局された放送信号の復調処理を行う主復調手段と、
視聴制限を解除するためのモジュールを挿入するモジュールインターフェース手段と、
該主復調手段により復調された信号の経路を切り換える切換手段と、
該切換手段により切り換えられた信号の復号処理を行う信号処理手段と、
該分岐分配手段により分岐分配された該下り回線データ信号の選局を行う副選局手段と、
該副選局手段により選局された信号の復調処理を行う副復調手段と、を備え、
該制御手段は、該主復調手段により復調された信号が該モジュールインターフェース手段を経由するか否かを制御することを特徴とする受信装置。
【請求項５】
請求項４記載の受信装置において、
該選択手段で選択される放送信号が地上波信号である場合に、
該制御手段は、該主復調手段により復調された信号が該モジュールインターフェース手段を経由しないよう制御し、
該選択手段で選択される放送信号がＣＡＴＶ信号である場合に、
該制御手段は該主復調手段により復調された信号が該モジュールインターフェース手段を経由するよう制御することを特徴とする受信装置。
【請求項６】
請求項４又は５記載の受信装置において、
上り回線データを変調する変調手段と、を備え、
該変調手段により変調された上り回線データ信号を該方向性結合手段に供給することを特徴とする受信装置。
【請求項７】
地上波放送およびＣＡＴＶ放送を一つの受信装置により受信可能な受信装置であって、
地上波放送信号を入力するための地上波入力手段と、
ＣＡＴＶ信号を入力し、ＣＡＴＶ放送の上り回線データ信号をＣＡＴＶ網に送信するためのＣＡＴＶ入出力手段と、
該ＣＡＴＶ信号を通過させ、該上り回線データ信号を該ＣＡＴＶ網に結合するための方向性結合手段と、
該方向性結合手段を通過したＣＡＴＶ信号の内、下り回線データ信号を分岐または分配する分岐分配手段と、
該地上波入力手段により入力された該地上波放送信号と該分岐分配手段により分岐または分配された該ＣＡＴＶ信号の内、一つの選局手段に対して一つの放送信号を選択する選択手段と、
該選択手段により選択された該放送信号の内、所望のチャンネルを選局する少なくとも一つの主選局手段と、
該選択手段と少なくとも一つの該主選局手段を制御する制御手段と、を備え、
該制御手段は少なくとも一つの該主選局手段において選局すべき所望の放送信号に応じて該選択手段を制御すると共に、
該選択手段で選択される放送信号とは独立して、該下り回線データ信号を分岐または分配することが可能であり、かつ該上り回線データ信号が送信可能であることを特徴とする受信装置。
【請求項８】
請求項７記載の受信装置において、
該地上波入力手段に入力された放送信号を増幅する第一の増幅手段と、
該ＣＡＴＶ入出力手段に入力された放送信号を増幅する第二の増幅手段と、
を備えることを特徴とする受信装置。
【請求項９】
請求項７記載の受信装置において、
少なくとも一つの該主選局手段により選局された放送信号を、放送方式に応じて復調処理を行う少なくとも一つの主復調手段と、
複数の信号に対して視聴制限を解除するためのモジュールを挿入するモジュールインターフェース手段と、
少なくとも一つの該主復調手段により復調された信号の経路を切り換える切換手段と、
少なくとも一つの該主復調手段により復調された信号を多重化する多重化手段と、
該モジュールにより視聴制限を解除された多重化信号を複数の信号に多重分離する多重分離手段と、
該切換手段により切り換えられた信号の復号処理を行う信号処理手段と、
該分岐分配手段により分岐分配された該下り回線データ信号の選局を行う副選局手段と、
該副選局手段により選局された信号の復調処理を行う副復調手段と、を備え、
該制御手段は少なくとも一つの該主復調手段により復調された少なくとも一つの信号が該モジュールインターフェース手段を経由するか否かを制御することを特徴とする受信装置。
【請求項１０】
請求項９記載の受信装置において、
該選択手段で選択される放送信号が地上波信号である場合に、
該制御手段は該主復調手段により復調された信号が該モジュールインターフェース手段を経由しないよう制御し、
該選択手段で選択される放送信号がＣＡＴＶ信号である場合に、
該制御手段は該主復調手段により復調された信号が該モジュールインターフェース手段を経由するよう制御することを特徴とする受信装置。
【請求項１１】
請求項９記載の受信装置において、
上り回線データを変調する変調手段と、を備え、
該変調手段により変調された上り回線データ信号を該方向性結合手段に供給することを特徴とする受信装置。
【請求項１２】
地上波放送信号を入力する地上波入力手段と、
ＣＡＴＶ網からＣＡＴＶ信号を入力し、あるいは、ＣＡＴＶ網へ信号を出力するためのＣＡＴＶ入出力手段と、
該ＣＡＴＶ入出力手段を介してＣＡＴＶ網から入力されるＣＡＴＶ信号を分岐または分配する分岐分配手段と、
該地上波入力手段により入力された該地上波放送信号と該分岐分配手段により分岐または分配された該ＣＡＴＶ信号の内、一つの信号を選択する選択手段と、
該選択手段により選択された該信号の内、所望のチャンネルを選局する主選局手段と、
該選択手段と該主選局手段を制御する制御手段と、を備え、
該制御手段は、該選択手段で選択される信号とは独立して、該ＣＡＴＶ入出力手段を介してＣＡＴＶ網から入力されるＣＡＴＶ信号を分岐または分配し、あるいは、該ＣＡＴＶ入出力手段を介してＣＡＴＶ網へ信号を出力するよう制御することを特徴とするチューナ。
【発明の詳細な説明】
【技術分野】
【０００１】
本発明は、地上波放送あるいはケーブルテレビジョン（以下、ＣＡＴＶという）放送を受信して映像信号および音声信号を出力する受信装置及びチューナに関する。
【背景技術】
【０００２】
米国における地上波デジタル放送は、映像信号・音声信号・データ信号をＭＰＥＧ２（Moving Picture Experts Group Phase2）により符号化・多重化されたＴＳ（Transport Stream）を８ＶＳＢ（残留側波帯変調：Vestigial Side Band）により変調して、５４ＭＨｚ〜８０６ＭＨｚの伝送帯域で送信している。
【０００３】
一方、米国におけるデジタルＣＡＴＶ放送は、映像信号・音声信号・データ信号をＭＰＥＧ２により符号化・多重化されたＴＳを６４ＱＡＭあるいは２５６ＱＡＭ（直交振幅変調：Quadrature Amplitude Modulation）により変調して、５４ＭＨｚ〜８６４ＭＨｚの伝送帯域で送信している。更にデジタルＣＡＴＶ放送では、視聴者管理や視聴制限、ビデオオンデマンドなどの用途で、上り回線や下り回線のデータチャンネルにより受信装置とＣＡＴＶ局とのデータ送受信が行われている。
【０００４】
地上波放送とＣＡＴＶ放送との共用受信装置として、特開平１１−３５５６８１号公報のテレビジョン放送の受信装置には、アンテナ入力端子に接続された外部アンテナからの受信高周波信号とＣＡＴＶ入力端子に接続されたＣＡＴＶケーブルからの入力高周波信号とを、高周波リレーなどで実現される切換回路で選択的に切り換えて、入力切換を行うとともに、高周波リレーなどで実現される切換回路によって、復調回路の切り換えを行うことにより、地上波放送およびＣＡＴＶ放送の全ての放送方式に１台で対応できるように構成する技術が公開されている。
【０００５】
【特許文献１】特開平１１−３５５６８１号公報
【発明の開示】
【発明が解決しようとする課題】
【０００６】
しかしながら、上記特許文献のテレビジョン放送の受信装置では、地上波放送またはＣＡＴＶ放送を受信しながらＣＡＴＶ網からの下り回線データチャンネルを受信する場合については一切考慮されていない。
【０００７】
また、切換回路のスイッチングによって受信装置の入力インピーダンスが変化してＣＡＴＶ網に影響を及ぼすという問題が発生する。
【０００８】
また、そもそも地上波放送信号とＣＡＴＶ信号の双方を受信可能な装置における、ＣＡＴＶ網への信号（上り回線データ信号）を取り扱うことに関して従来の技術においては着目されていなかった。
【０００９】
本発明は、上記のような問題点を鑑みて考案されたものであり、その目的は、地上波放送とＣＡＴＶ放送とを送受信可能な受信装置を提供することにある。
【課題を解決するための手段】
【００１０】
上記目的を達成するために、例えば、請求項1記載の如く、地上波放送信号を入力する地上波入力手段と、ＣＡＴＶ網からＣＡＴＶ信号を入力し、あるいは、ＣＡＴＶ網へ信号を出力するためのＣＡＴＶ入出力手段と、該ＣＡＴＶ入出力手段を介してＣＡＴＶ網から入力されるＣＡＴＶ信号を分岐または分配する分岐分配手段と、該地上波入力手段により入力された該地上波放送信号と該分岐分配手段により分岐または分配された該ＣＡＴＶ信号の内、一つの信号を選択する選択手段と、該選択手段により選択された該信号の内、所望のチャンネルを選局する主選局手段と、該選択手段と該主選局手段を制御する制御手段と、を備え、該制御手段は、該選択手段で選択される信号とは独立して、該ＣＡＴＶ入出力手段を介してＣＡＴＶ網から入力されるＣＡＴＶ信号を分岐または分配し、あるいは、該ＣＡＴＶ入出力手段を介してＣＡＴＶ網へ信号を出力するよう制御するように構成すれば良い。
【発明の効果】
【００１１】
本発明によれば、地上波放送とＣＡＴＶ放送との選局切り換えのために視聴者の煩わしい操作を必要としない受信装置を提供することができる。
【発明を実施するための最良の形態】
【００１２】
以下、実施の形態を詳細に説明する。同一符号・同一記号は同一構成を意味するものとする。
【実施例１】
【００１３】
以下、第１の実施形態について説明する。図１は本実施形態による受信装置の構成例を示すブロック図である。
【００１４】
図１において、受信アンテナ１００は地上波放送による放送電波を受信し、受信信号を選局部１０１に供給する。また、選局部１０１はＣＡＴＶ網で伝送される放送信号を入力する端子を有し、ＣＡＴＶ放送信号が供給されている。
【００１５】
選局部１０１は、供給されたＣＡＴＶ放送信号から７０ＭＨｚ〜１３０ＭＨｚの伝送帯域で伝送されるＣＡＴＶ下り回線のデータチャンネル（Out-Of-Band Forward Data Channel、以下、「ＦＤＣ」と呼ぶ）選局用の信号を分岐し、バンドパスフィルタ１０９に供給する。なお、ＦＤＣではＱＰＳＫ（Quadrature Phase Shift Keying）により変調された信号が伝送されている。バンドパスフィルタ１０９は７０ＭＨｚ〜１３０ＭＨｚの通過帯域を持つバンドパスフィルタであり、供給されたＦＤＣ信号に対して帯域制限を施し、ＦＤＣチューナ部１１０に供給する。
【００１６】
ＦＤＣチューナ部１１０は供給されたＦＤＣ信号を所望のＩＦ帯域（例えば４４ＭＨｚ）に周波数変換すると共に、レベル調整を施してＱＰＳＫ復調部１１１に供給する。ＱＰＳＫ復調部１１１は供給されたＦＤＣ信号を復調する。ＱＰＳＫ復調部により復調された復調データはセキュリティモジュールインターフェース部１１２を介してセキュリティモジュール１１３に供給される。なお、ＦＤＣチューナ部１１０に対するレベル制御はＱＰＳＫ復調部１１１により制御される。
【００１７】
一方、選局部１０１は５ＭＨｚ〜４２ＭＨｚの伝送帯域で受信装置から送信されるＣＡＴＶ上り回線のデータチャンネル（Out-Of-Band Reversed Data Channel、以下、「ＲＤＣ」と呼ぶ）用の入力端子を有する。ＲＤＣ信号は制御部１１６から供給されたデータをＱＰＳＫ変調部１１５によりＱＰＳＫ変調することにより得られ、可変増幅部１１４によりＣＡＴＶ網で規定されたレベルに調整されて選局部１０１を介してＣＡＴＶ網に送信される。
【００１８】
さらに、選局部１０１は、供給された地上波放送信号とＣＡＴＶ放送信号の内、どちらか一方の放送信号から所望のチャンネルを選局する。米国における地上波放送信号は８ＶＳＢにより変調されており、５４ＭＨｚ〜８０６ＭＨｚの伝送帯域で伝送される。一方、米国におけるＣＡＴＶ放送信号は、６４ＱＡＭまたは２５６ＱＡＭにより変調されており、５４ＭＨｚ〜８６４ＭＨｚの伝送帯域で伝送される。特に、ＣＡＴＶ放送において伝送される伝送帯域をIn-Bandといい、ＭＰＥＧ２により符号化された映像信号・音声信号・データ信号が伝送される。In-Bandにより伝送されるチャンネルをＦＤＣおよびＲＤＣに対してＦＡＴチャンネル(Forward Application Transport Channel)と呼ぶ。
【００１９】
選局部１０１で選局された放送信号は、ＳＡＷフィルタ１０２に供給される。ＳＡＷフィルタ１０２は帯域幅６ＭＨｚフィルタであり、供給された放送信号に帯域制限を施し、ＩＦ ＡＧＣ増幅部１０３に供給する。ＩＦ ＡＧＣ増幅部１０３は供給された放送信号の信号レベルが復調部１０４に対して最適なレベルとなるようにレベル調整し、復調部１０４に供給する。復調部１０４は８ＶＳＢ／ＱＡＭ復調部１０５および誤り訂正部１０６を有し、供給された放送信号に対して、放送方式に応じた復調・誤り訂正処理を施し、ＴＳ（Transport Stream）信号をＴＳ切換部１０７に供給する。なお、ＩＦ ＡＧＣ増幅部１０３に対するレベル制御は復調部１０４により制御される。
【００２０】
ＴＳ切換部１０７は供給されたＴＳ信号が信号処理部１０８に直接供給されるか、または、セキュリティモジュールインターフェース部１１２およびセキュリティモジュール１１３を経由して供給されるかを切り換える。セキュリティモジュール１１３では、供給されたＴＳ信号の視聴制限を解除し、セキュリティモジュールインターフェース部１１２を介してＴＳ切換部１０７に供給する。信号処理部１０８は供給されたＴＳ信号に対して多重分離処理、復号処理を施し、映像信号と音声信号を出力する。
【００２１】
以下、図１に示した選局部１０１における処理を詳細に説明する。図２は、図１に示した選局部１０１を詳細に説明するためのブロック図である。選局部１０１は、受信アンテナ１００で受信した地上波放送信号を入力する地上波入力部２００とＣＡＴＶ網で伝送される放送信号を入力するＣＡＴＶ入出力部２０３を有する。これらの入出力部は、Ｆ型コネクタなどの端子を想定しているが、この限りではない。
【００２２】
地上波入力部２００に入力された地上波放送信号は、５４ＭＨｚ以上を通過帯域とするハイパスフィルタ２０１を通して増幅部２０２に供給される。増幅部２０２は供給された地上波放送信号を増幅し、スイッチ２０９に供給する。
【００２３】
一方、ＣＡＴＶ入出力部に供給されたＣＡＴＶ放送信号は方向性結合部２０４を介してハイパスフィルタ２０６に供給される。ハイパスフィルタ２０６は、供給されたＣＡＴＶ放送信号の５４ＭＨｚ以上を通過させて増幅部２０７に供給する。増幅部２０７は供給されたＣＡＴＶ放送信号を増幅し、分岐部２０８に供給する。
【００２４】
分岐部２０８は、供給されたＣＡＴＶ放送信号をＦＡＴチャンネル信号とＦＤＣ信号に分岐し、ＦＡＴチャンネル信号をスイッチ２０９に、ＦＤＣ信号を図１に示したバンドパスフィルタ１０９に供給する。スイッチ２０９は供給された地上波放送信号とＣＡＴＶ放送信号のどちらか一方を選択し、チューナ部２１０に供給する。チューナ部２１０は、供給された放送信号の内、一つのチャンネルを所望のＩＦ帯域（例えば４４ＭＨｚ）に周波数変換すると共に、レベル調整を施して図１に示したＳＡＷフィルタ１０２に供給する。
【００２５】
また、可変増幅部１１４から供給されるＲＤＣ信号は、５４ＭＨｚ以下を通過帯域とするローパスフィルタを通して方向性結合部２０４に供給される。結合部２０４ではＲＤＣ信号をＣＡＴＶ入出力部２０３側に出力してＣＡＴＶ網に送信し、ハイパスフィルタ２０６側には信号を遮断する。
【００２６】
以下、図１に示したＴＳ切換部１０７における処理を詳細に説明する。図３は、図１に示したＴＳ切換部１０７を詳細に説明するためのブロック図である。図３において、３０１および３０２は切り換えスイッチであり、ＴＳの経路を選択することができる。３０３、３０４および３０５はＴＳ経路を示す。
【００２７】
また、ＴＳ切換部１０７に入力されるＴＳ信号には、データ信号、クロック信号、同期信号、イネーブル信号、エラー信号などが含まれる。切り換えスイッチ３０１および３０２の切り換えは制御部１１６により制御され、セキュリティモジュール１１３を経由しない経路と経由する経路を切り換えることができる。
【００２８】
なお、図１〜図３には図示されていないが、選局部１０１、復調部１０４、ＴＳ切換部１０７、信号処理部１０８、ＱＰＳＫ復調部１１１、ＱＰＳＫ変調部１１５における処理は、制御部１１６により統括的に制御される。
【００２９】
以下、本実施形態による受信装置での選局動作について、詳細に説明する。
ユーザー操作による選局および予約視聴や予約録画による選局で地上波放送を選局する場合、制御部１１６は、地上波放送信号がチューナ部２１０に供給されるようにスイッチ２０９を制御し、地上波放送方式に応じた復調・誤り訂正方式で復調・誤り訂正処理を行うように復調部１０４を制御する。これと同時に、ＴＳ切換部１０７においてＴＳ経路がセキュリティモジュール１１３を通らない経路（ＴＳ経路３０３）となるように切り換えスイッチ３０１および３０２を制御する。
【００３０】
また、ユーザー操作による選局、予約視聴や予約録画による選局でＣＡＴＶ放送を選局する場合、制御部１１６は、ＣＡＴＶ放送信号がチューナ部２１０に供給されるようにスイッチ２０９を制御し、ＣＡＴＶ放送方式に応じた復調・誤り訂正方式で復調・誤り訂正処理を行うように復調部１０４を制御する。更に、セキュリティモジュールインターフェース部１１２にセキュリティモジュール１１３が挿入されている場合、デスクランブル処理のために、ＴＳ切換部１０７においてＴＳ経路がセキュリティモジュール１１３を通る経路（ＴＳ経路３０４→ＴＳ経路３０５）となるように切り換えスイッチ３０１および３０２を制御する。他方、セキュリティモジュールインターフェース部１１２にセキュリティモジュール１１３が挿入されていない場合、ＴＳ切換部１０７においてＴＳ経路がセキュリティモジュール１１３を通らない経路（ＴＳ経路３０３）となるように切り換えスイッチ３０１および３０２を制御する。
【００３１】
ＦＤＣでの選局・復調処理およびＲＤＣでの変調処理については、セキュリティモジュールインターフェース部１１２にセキュリティモジュール１１３が挿入されている場合に実行される。ＦＤＣチューナ部１１０に対するＣＡＴＶ信号入力は、前述の地上波放送信号とＣＡＴＶ放送信号の選択とは無関係に供給されているため、ＦＤＣデータがセキュリティモジュール１１３に常時供給されることとなる。ＲＤＣ信号もまた、セキュリティモジュールインターフェース部１１２にセキュリティモジュール１１３が挿入されている間は常にＣＡＴＶ網に送信可能な状態となる。また、ＣＡＴＶ入出力部２０３での入力インピーダンスは、スイッチ２０９での選択経路とは無関係に一定となり、ＣＡＴＶ網に対して反射などの影響を低減できる。
【００３２】
以上の動作によれば、地上波放送と双方向サービスが可能なＣＡＴＶ放送とが一つの受信装置で受信可能であり、地上波放送とＣＡＴＶ放送との選局切り換えのために視聴者の煩わしい操作を必要としない受信装置を提供することができる。更に、地上波放送信号とＣＡＴＶ放送信号とで個別に増幅器を備ることにより、地上波放送とＣＡＴＶ放送の切換操作により入力インピーダンスが変化しない受信装置を提供することができる。
【００３３】
更に、地上波放送とＣＡＴＶ放送との選択スイッチより前段に、ＦＤＣ信号用の分岐部を備えることにより、地上波放送信号を受信する際のＮＦ（Noise Figure）を劣化させずに地上波放送に対する受信感度を保つことができる。
【００３４】
なお、図２に示した選局部１０１を金属製の筐体に格納して外部からの対雑音性能を向上することが可能であるが、図１および図２に示したいずれの構成要素を筐体内に含もうとも、本発明の効果を失うものではない。
【００３５】
また、図２で示される構成で１製品（例えば、１チューナ）として販売されると受信装置を設計する当業者にとってみれば汎用性が増し、受信装置システム構築の低コスト化の実現や設計自由度が増すといった効果がある。
【実施例２】
【００３６】
以下、第２の実施形態について説明する。図４は本実施形態による受信装置の構成例を示すブロック図である。
【００３７】
本実施形態による受信装置の構成は、実施例１において示した受信装置の構成に対して、地上波放送信号およびＣＡＴＶ放送信号（ＦＡＴチャンネル）を選局および復調する受信部が1系統追加されたものである。図４において、選局部１１７は、入力された地上波放送信号とＣＡＴＶ放送信号の内、どちらか一方の放送信号から所望のチャンネルを選局し、ＳＡＷフィルタ１０２に供給する。さらに、選局部１１７は、入力された地上波放送信号とＣＡＴＶ放送信号の内、どちらか一方の放送信号から所望のチャンネルを選局し、ＳＡＷフィルタ１１８に供給する。ＳＡＷフィルタ１０２およびＳＡＷフィルタ１１８に供給される信号は、地上波放送とＣＡＴＶ放送の区別および選局チャンネルに対する制限はなく、それぞれ独立して選択することが可能である。
【００３８】
ＳＡＷフィルタ１０２に供給された放送信号は、ＩＦ ＡＧＣ増幅部１０３および復調部１０４において実施例１と同様の処理を施され、ＴＳ信号をＴＳ切換部１０７に供給する。一方、ＳＡＷフィルタ１１８に供給された放送信号は、ＩＦ ＡＧＣ増幅部１１９および復調部１２０において実施例１と同様の処理を施され、ＴＳ信号を信号処理部１２３に供給する。
【００３９】
ＴＳ切換部１０７は供給されたＴＳが信号処理部１０８に直接供給されるか、または、セキュリティモジュールインターフェース部１１２およびセキュリティモジュール１１３を経由して供給されるかを切り換えることが可能で、実施例１と同様の動作を行う。
信号処理部１２３は供給された２系統のＴＳ信号に対して多重分離処理、復号処理を施し、映像信号と音声信号を出力する。この時、出力される映像信号および音声信号は、２系統のＴＳから得られる映像を一つの画面に表示できるように構成した映像であってもよい。
【００４０】
さらに、選局部１１７は、図１に示した選局部１０１と同様にＦＤＣ信号の出力端子およびＲＤＣ信号の入力端子を有し、バンドパスフィルタ１０９、ＦＤＣチューナ部１１０、ＱＰＳＫ復調部１１１、可変増幅部１１４、ＱＰＳＫ変調部１１５において、実施例１と同様の動作を行う。
【００４１】
以下、図４に示した選局部１１７における処理を詳細に説明する。図５は、図４に示した選局部１１７を詳細に説明するためのブロック図である。本実施形態による選局部１１７の構成は、実施例１において示した選局部１０１の構成におけるスイッチ２０９が、出力を個別に選択可能なマトリックス型スイッチ２１２となり、図４において追加されたＳＡＷフィルタ１１８に放送信号を供給するチューナ部２１１が追加された構成となる。
【００４２】
マトリックス型スイッチ２１２は、供給された地上波放送信号とＣＡＴＶ放送信号のどちらか一方を選択し、チューナ部２１０に供給すると共に、供給された地上波放送信号とＣＡＴＶ放送信号のどちらか一方を選択し、チューナ部２１１に供給する。チューナ部２１０およびチューナ部２１１に供給される信号は、地上波放送とＣＡＴＶの区別に制限はなく、それぞれ独立して選択することが可能である。チューナ部２１０およびチューナ部２１１は、供給された放送信号の内、一つのチャンネルを所望のＩＦ帯域（例えば４４ＭＨｚ）に周波数変換すると共に、レベル調整を施して図４に示したＳＡＷフィルタ１０２およびＳＡＷフィルタ１１８に供給する。
【００４３】
なお、図４および図５には図示されていないが、復調部１０４および１２０、ＴＳ切換部１０７、信号処理部１２３、ＱＰＳＫ復調部１１１、ＱＰＳＫ変調部１１５、選局部１１７における処理は、制御部１１６により制御される。
【００４４】
以下、本実施形態による受信装置での選局動作について、詳細に説明する。
【００４５】
ユーザー操作による選局および予約視聴や予約録画による選局で、チューナ部２１０およびチューナ部２１１共に地上波放送を選局する場合、制御部１１６は地上波放送信号がチューナ部２１０およびチューナ部２１１に供給されるようにマトリックス型スイッチ２１２を制御し、地上波放送方式に応じた復調・誤り訂正方式で復調・誤り訂正処理を行うように復調部１０４および復調部１２０を制御する。これと同時に、ＴＳ切換部１０７においてＴＳ経路がセキュリティモジュール１１３を通らない経路（ＴＳ経路３０３）となるように切り換えスイッチ３０１および３０２を制御する。
【００４６】
また、ユーザー操作による選局、予約視聴や予約録画による選局で、チューナ部２１０およびチューナ部２１１共にＣＡＴＶ放送を選局する場合、制御部１１６はＣＡＴＶ放送信号がチューナ部２１０およびチューナ部２１１に供給されるようにマトリックス型スイッチ２１２を制御し、ＣＡＴＶ放送方式に応じた復調・誤り訂正方式で復調・誤り訂正処理を行うように復調部１０４および復調部１２０を制御する。更に、セキュリティモジュールインターフェース部１１２にセキュリティモジュール１１３が挿入されている場合、デスクランブル処理のために、ＴＳ切換部１０７においてＴＳ経路がセキュリティモジュール１１３を通る経路（ＴＳ経路３０４→ＴＳ経路３０５）となるように切り換えスイッチ３０１および３０２を制御する。他方、セキュリティモジュールインターフェース部１１２にセキュリティモジュール１１３が挿入されていない場合、ＴＳ切換部１０７においてＴＳ経路がセキュリティモジュール１１３を通らない経路（ＴＳ経路３０３）となるように切り換えスイッチ３０１および３０２を制御する。
【００４７】
また、ユーザー操作による選局、予約視聴や予約録画による選局で、地上波放送とＣＡＴＶ放送をそれぞれ一つづつ選局する場合、制御部１１６はＣＡＴＶ放送信号がチューナ部２１０に、地上波放送信号がチューナ部２１１に供給されるようにマトリックス型スイッチ２１２を制御し、ＣＡＴＶ放送方式に応じた復調・誤り訂正方式で復調・誤り訂正処理を行うように復調部１０４を制御し、地上波放送方式に応じた復調・誤り訂正方式で復調・誤り訂正処理を行うように復調部１２０を制御する。
【００４８】
更に、セキュリティモジュールインターフェース部１１２にセキュリティモジュール１１３が挿入されている場合、デスクランブル処理のために、ＴＳ切換部１０７においてＴＳ経路がセキュリティモジュール１１３を通る経路（ＴＳ経路３０４→ＴＳ経路３０５）となるように切り換えスイッチ３０１および３０２を制御する。他方、セキュリティモジュールインターフェース部１１２にセキュリティモジュール１１３が挿入されていない場合、ＴＳ切換部１０７においてＴＳ経路がセキュリティモジュール１１３を通らない経路（ＴＳ経路３０３）となるように切り換えスイッチ３０１および３０２を制御する。
【００４９】
ＦＤＣでの選局・復調処理およびＲＤＣでの変調処理については、セキュリティモジュールインターフェース部１１２にセキュリティモジュール１１３が挿入されている場合に実行される。ＦＤＣチューナ部１１０に対するＣＡＴＶ信号入力は、前述の地上波放送信号とＣＡＴＶ放送信号の選択とは無関係に供給されているため、ＦＤＣデータがセキュリティモジュール１１３に常時供給されることとなる。
【００５０】
ＲＤＣ信号もまた、セキュリティモジュールインターフェース部１１２にセキュリティモジュール１１３が挿入されている間は常にＣＡＴＶ網に送信可能な状態となる。また、ＣＡＴＶ入出力部２０３での入力インピーダンスは、スイッチ２０９での選択経路とは無関係に一定となり、ＣＡＴＶ網に対して反射などの影響を低減できる。
【００５１】
以上の動作によれば、地上波放送と双方向サービスが可能なＣＡＴＶ放送とが一つの受信装置で受信可能であり、地上波放送とＣＡＴＶ放送との選局切り換えのために視聴者の煩わしい操作を必要としない受信装置を提供することができ、且つ、地上波放送とＣＡＴＶ放送の全ての組み合わせについて２画面表示や裏番組録画用の映像・音声出力を得ることが可能となる。
【００５２】
ただし、図４において追加されたＳＡＷフィルタ１１８、ＩＦ  ＡＧＣ増幅部１１９、復調部１２０により視聴制限されたＣＡＴＶ放送信号を受信した場合、セキュリティモジュール１１３によるデスクランブル処理ができないため、この受信系統を地上波放送に固定することも有用である。
【００５３】
更に、地上波放送信号とＣＡＴＶ放送信号とで個別に増幅器を備ることにより、地上波放送とＣＡＴＶ放送の切換操作により入力インピーダンスが変化しない受信装置を提供することができる。更に、地上波放送とＣＡＴＶ放送との選択スイッチより前段に、ＦＤＣ信号用の分岐部を備えることにより、地上波放送信号を受信する際のＮＦ（Noise Figure）を劣化させずに地上波放送に対する受信感度を保つことができる。
【００５４】
なお、図５に示した選局部１０１を金属製の筐体に格納して対雑音性能を向上することが可能であるが、図１および図２に示したいずれの構成要素を筐体内に含もうとも、本発明の効果を失うものではない。
本実施形態においては、２つの復調部を持つ構成について動作の詳細を説明したが、３つ以上の復調部を持つ構成に拡張できることは言うまでもない。
【実施例３】
【００５５】
以下、第３の実施形態について説明する。図６は本実施形態による受信装置の構成例を示すブロック図である。
【００５６】
本実施形態による受信装置の構成は、実施例２において示した受信装置の構成におけるＴＳ切換部１０７が、ＴＳ合成切換部１２４に置換された構成となる。復調部１２０から出力されるＴＳ信号はＴＳ合成切換部１２４を介して信号処理部１２３に供給される。また、セキュリティモジュールインターフェース部１１２およびセキュリティモジュール１１３がそれぞれ、複数ＴＳ対応の複数TS対応セキュリティモジュール インターフェース部１２５および複数TS対応セキュリティモジュール１２６となる。
【００５７】
以下、図６に示したＴＳ合成切換部１２４における処理を詳細に説明する。図７は図６に示したＴＳ合成切換部１２４を詳細に説明するためのブロック図である。図７において、７０１、７０２、７０３および７０４は切り換えスイッチであり、ＴＳの経路を選択することができる。７０７、７０８、７０９、７１０、７１１および７１２はＴＳ経路を示す。また、ＴＳ合成切換部１２４に入力されるＴＳ信号には、データ信号、クロック信号、同期信号、イネーブル信号、エラー信号などが含まれる。
【００５８】
切り換えスイッチ７０１、７０２、７０３および７０４の切り換えは制御部１１６により制御される。多重化部７０５は入力された複数のＴＳ信号を複数TS対応セキュリティモジュール１２６に準拠した信号に多重化処理を施し、複数TS対応セキュリティモジュールインターフェース部１２５を介して複数TS対応セキュリティモジュール１２６に供給する。複数TS対応セキュリティモジュール１２６では、供給された信号のデスクランブル処理を行い、多重分離部７０６に供給する。
【００５９】
多重分離部７０６は、供給された多重化TS信号を複数ＴＳに多重分離する。多重分離されたＴＳの内、スイッチ７０３経由で入力されたＴＳ信号を元とするＴＳ信号をスイッチ７０４に供給し、スイッチ７０１経由で入力されたＴＳ信号を元とするＴＳ信号をスイッチ７０２に供給する。
【００６０】
以下、本実施形態による受信装置での選局動作について、詳細に説明する。ユーザー操作による選局および予約視聴や予約録画による選局で、チューナ部２１０およびチューナ部２１１共に地上波放送を選局する場合、制御部１１６は地上波放送信号がチューナ部２１０およびチューナ部２１１に供給されるようにマトリックス型スイッチ２１２を制御し、地上波放送方式に応じた復調・誤り訂正方式で復調・誤り訂正処理を行うように復調部１０４および復調部１２０を制御する。
【００６１】
これと同時に、ＴＳ合成切換部１２４において、復調部１０４および復調部１２０から供給されたＴＳ信号が共に複数TS対応セキュリティモジュール１２６を通らない経路（ＴＳ経路７０７およびＴＳ経路７０８）となるように切り換えスイッチ７０１、７０２、７０３および７０４を制御する。
【００６２】
また、ユーザー操作による選局、予約視聴や予約録画による選局で、チューナ部２１０およびチューナ部２１１共にＣＡＴＶ放送を選局する場合、制御部１１６はＣＡＴＶ放送信号がチューナ部２１０およびチューナ部２１１に供給されるようにマトリックス型スイッチ２１２を制御し、ＣＡＴＶ放送方式に応じた復調・誤り訂正方式で復調・誤り訂正処理を行うように復調部１０４および復調部１２０を制御する。
【００６３】
更に、複数TS対応セキュリティモジュールインターフェース部１２５に複数TS対応セキュリティモジュール１２６が挿入されている場合、デスクランブル処理のために、ＴＳ合成切換部１２５においてＴＳ経路が複数TS対応セキュリティモジュール１２６を通る経路（ＴＳ経路７１１→ＴＳ経路７１２およびＴＳ経路７０９→ＴＳ経路７１０）となるように切り換えスイッチ７０１、７０２、７０３および７０４を制御する。
【００６４】
他方、複数TS対応セキュリティモジュールインターフェース部１２５に複数TS対応セキュリティモジュール１２６が挿入されていない場合、ＴＳ合成切換部１２４において復調部１０４および復調部１２０から供給されたＴＳ信号が共に複数TS対応セキュリティモジュール１２６を通らない経路（ＴＳ経路７０７およびＴＳ経路７０８）となるように切り換えスイッチ７０１，７０２，７０３および７０４を制御する。
【００６５】
また、ユーザー操作による選局、予約視聴や予約録画による選局で、地上波放送とＣＡＴＶ放送をそれぞれ一つづつ選局する場合、制御部１１６はＣＡＴＶ放送信号がチューナ部２１０に、地上波放送信号がチューナ部２１１に供給されるようにマトリックス型スイッチ２１２を制御し、ＣＡＴＶ放送方式に応じた復調・誤り訂正方式で復調・誤り訂正処理を行うように復調部１０４を制御し、地上波放送方式に応じた復調・誤り訂正方式で復調・誤り訂正処理を行うように復調部１２０を制御する。
【００６６】
更に、複数TS対応セキュリティモジュールインターフェース部１２５に複数TS対応セキュリティモジュール１２６が挿入されている場合、デスクランブル処理のために、ＴＳ合成切換部１２５において、復調部１０４から供給されたＴＳ信号が複数TS対応セキュリティモジュール１２６を通る経路（ＴＳ経路７１１→７１２）となるように切り換えスイッチ７０１および７０４を制御し、復調部１２０から供給されたＴＳ信号が複数TS対応セキュリティモジュール１２６を通らない経路（ＴＳ経路７０８）となるように切り換えスイッチ７０２および７０３を制御する。
【００６７】
他方、複数TS対応セキュリティモジュールインターフェース部１２５に複数TS対応セキュリティモジュール１２６が挿入されていない場合、ＴＳ合成切換部１２４において復調部１０４および復調部１２０から供給されたＴＳ信号が共に複数TS対応セキュリティモジュール１２６を通らない経路（ＴＳ経路７０７およびＴＳ経路７０８）となるように切り換えスイッチ７０１，７０２，７０３および７０４を制御する。
【００６８】
ＦＤＣでの選局・復調処理およびＲＤＣでの変調処理については、セキュリティモジュールインターフェース部１１２にセキュリティモジュール１１３が挿入されている場合に実行される。ＦＤＣチューナ部１１０に対するＣＡＴＶ信号入力は、前述の地上波放送信号とＣＡＴＶ放送信号の選択とは無関係に供給されているため、ＦＤＣデータがセキュリティモジュール１１３に常時供給されることとなる。
【００６９】
ＲＤＣ信号もまた、セキュリティモジュールインターフェース部１１２にセキュリティモジュール１１３が挿入されている間は常にＣＡＴＶ網に送信可能な状態となる。また、ＣＡＴＶ入出力部２０３での入力インピーダンスは、スイッチ２０９での選択経路とは無関係に一定となり、ＣＡＴＶ網に対して反射などの影響を低減できる。
【００７０】
以上の動作によれば、地上波放送と双方向サービスが可能なＣＡＴＶ放送とが一つの受信装置で受信可能であり、地上波放送とＣＡＴＶ放送との選局切り換えのために視聴者の煩わしい操作を必要としない受信装置を提供することができ、且つ、地上波放送とＣＡＴＶ放送の全ての組み合わせについて２画面表示や裏番組録画用の映像・音声出力を得ることが可能となる。更に、複数TS対応セキュリティモジュール１２６が挿入された場合は、視聴制限されたＣＡＴＶ放送信号を受信した場合であっても、２画面表示や裏番組録画用の映像・音声出力を得ることが可能となる。
【００７１】
更に、地上波放送信号とＣＡＴＶ放送信号とで個別に増幅器を備ることにより、地上波放送とＣＡＴＶ放送の切換操作により入力インピーダンスが変化しない受信装置を提供することができる。更に、地上波放送とＣＡＴＶ放送との選択スイッチより前段に、ＦＤＣ信号用の分岐部を備えることにより、地上波放送信号を受信する際のＮＦ（Noise Figure）を劣化させずに地上波放送に対する受信感度を保つことができる。
【００７２】
なお、図５に示した選局部１０１を金属製の筐体に格納して対雑音性能を向上することが可能であるが、図１および図２に示したいずれの構成要素を筐体内に含もうとも、本発明の効果を失うものではない。
【００７３】
本実施形態においては、２つの復調部を持つ構成について動作の詳細を説明したが、３つ以上の復調部を持つ構成に拡張できることは言うまでもない。
【００７４】
上記実施例では、米国における地上波放送とCATV放送における変調方式および伝送帯域について動作の詳細を説明したが、他の変調方式および伝送方式においても同様の効果を得ることが可能である。
【００７５】
また、上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題の少なくとも一つが解決でき、発明の効果の欄で述べられている効果の少なくとも一つが得られる場合には、この構成要件が削除された構成が発明となる。
【図面の簡単な説明】
【００７６】
【図１】本発明を適用した第１の実施形態における受信装置の構成例を示すブロック図である。
【図２】本発明を適用した第１の実施形態における受信装置の内、２入力選択部での処理を詳細に説明するためのブロック図である。
【図３】本発明を適用した第１の実施形態における受信装置の内、ＴＳ切換部での処理を詳細に説明するためのブロック図である。
【図４】本発明を適用した第２の実施形態における受信装置の構成例を示すブロック図である。
【図５】本発明を適用した第２の実施形態における受信装置の内、２入力選択部での処理を詳細に説明するためのブロック図である。
【図６】本発明を適用した第３の実施形態における受信装置の構成例を示すブロック図である。
【図７】本発明を適用した第３の実施形態における受信装置の内、ＴＳ合成切換部での処理を詳細に説明するためのブロック図である。
【符号の説明】
【００７７】
１００：受信アンテナ
１０１、１１７：選局部
１０２、１１８：ＳＡＷフィルタ
１０３、１１９：ＩＦ  ＡＧＣ増幅部
１０４、１２０：復調部
１０５、１２１：８ＶＳＢ／ＱＡＭ復調部
１０６，１２２：誤り訂正部
１０７：ＴＳ切換部
１０８、１２３：信号処理部
１０９：バンドパスフィルタ
１１０：ＦＤＣチューナ部
１１１：ＱＰＳＫ復調部
１１２：セキュリティモジュールインターフェース部
１１３：セキュリティモジュール
１１４：可変増幅部
１１５：ＱＰＳＫ変調部
１１６：制御部
１２４：ＴＳ合成切換部
１２５：複数TS対応セキュリティモジュールインターフェース部
１２６：複数TS対応セキュリティモジュール
２００：地上波入力部
２０１、２０６：ハイパスフィルタ
２０２、２０７：増幅部
２０３：ＣＡＴＶ入出力部
２０４：方向性結合部
２０５：ローパスフィルタ
２０８：分岐部
２０９：スイッチ
２１０、２１１：チューナ部
２１２：マトリックス型スイッチ
３０１、３０２、７０１、７０２、７０３、７０４：スイッチ
３０３，３０４，３０５，７０７，７０８，７０９，７１０，７１１、７１２：ＴＳ経路
７０５：多重化部
７０６：多重分離部
【図１】
2007174002.tif 000003
【図２】
2007174002.tif 000004
【図３】
2007174002.tif 000005
【図４】
2007174002.tif 000006
【図５】
2007174002.tif 000007
【図６】
2007174002.tif 000008
【図７】
2007174002.tif 000009